(57)【要約】【課題】製造コストを低減できるとともに軽量化が可能なＸ線検出装置およびＸ線装置を提供する。【解決手段】Ｘ線装置１は、入力されたＸ線を光学像に変換して出力する放射線変換手段を有するイメージインテンシファイア１１と、このイメージインテンシファイア１１の出力側に支持ベース１７を介して取り付けられるとともに、光学レンズ部１２を介して入力された光学像を電子像に変換するＣＣＤ基板１３と、前記イメージインテンシファイア１１の外部から前記光学レンズ及び前記ＣＣＤ基板１３を覆うカバー２０と、を具備し、前記支持ベース１７及び前記カバー２０の少なくとも一方が樹脂材で形成されている。【選択図】    図３
2008220767.tif 000002
【特許請求の範囲】
【請求項１】
入力されたＸ線を光学像に変換して出力する放射線変換手段を有するイメージインテンシファイアと、
このイメージインテンシファイアの出力側に支持ベースを介して取り付けられるとともに、光学レンズを介して入力された光学像を電子像に変換するＣＣＤ基板と、
前記イメージインテンシファイアの外部から前記光学レンズ及び前記ＣＣＤ基板を覆うカバーと、
を具備し、
前記支持ベース及び前記カバーの少なくとも一方が樹脂材で形成されていることを特徴とするＸ線検出装置。
【請求項２】
前記樹脂材で形成された前記支持ベース又は前記カバーに、ＣＣＤ基板をシールドするための導電部が形成されていることを特徴とする請求項１に記載のＸ線検出装置。
【請求項３】
前記導電部は、前記樹脂材で形成された前記支持ベース又は前記カバーに、導電性を有する樹脂塗料が塗布されたものであることを特徴とする請求項２に記載のＸ線検出装置。
【請求項４】
前記導電部は、前記樹脂材で形成された前記支持ベース又は前記カバーに、導電性を有する接着テープが貼着されたものであることを特徴とする請求項２に記載のＸ線検出装置。
【請求項５】
請求項１乃至５のいずれかに記載のＸ線検出装置と、このＸ線検出器に入力されるＸ線を照射するＸ線照射装置とを備えたことを特徴とするＸ線装置。
【請求項６】
前記イメージインテンシファイアは導電性のハウジングを有し、
前記支持ベースは樹脂材で形成されるとともに前記ハウジングに固定され、
前記カバーは樹脂材で形成されるとともに、前記支持ベースに固定され、
前記カバーの導電部は、前記カバーが前記ＣＣＤ基板を前記イメージインテンシファイアの外部から覆う部分から前記カバーが前記支持ベースと接触する部分に至って形成され、
前記支持ベースの導電部は、前記支持ベースが前記カバーと接触する部分から前記支持ベースが前記外郭と接触する部分に至って形成されていることを特徴とする請求項３に記載のＸ線検出装置。
【発明の詳細な説明】
【技術分野】
【０００１】
本発明は、ＣＣＤを用いたＸ線検出装置及びＸ線検出装置を備えたＸ線装置に関する。
【背景技術】
【０００２】
Ｘ線管を備えるＸ線照射装置からＸ線を被検査体に対して曝射し、被検査体を透過したＸ線像をＸ線検出装置により電流に変換し、デジタル信号へ変換するＸ線装置が知られている。このようなＸ線装置のＸ線検出装置は、イメージインテンシファイアやＣＣＤ基板、光学レンズ等を備えている（例えば特許文献１参照）。このＸ線検出装置では、被検査体を透過したＸ線はイメージインテンシファイアで可視光の光学像に変換される。この光学像は光学レンズを介してＣＣＤで電子像に変換される。この電子像が画像処理により信号に変換され、モニタ上に透視像が表示される。このようなＸ線検出装置では、光学レンズ及びＣＣＤ基板はイメージインテンシファイアと同軸に配置され、光学レンズはＣＣＤ基板に支持されている。また、ＣＣＤ基板は支持ベースに支持され、支持ベースはイメージインテンシファイアと接合されている。光学レンズとＣＣＤ基板は、支持ベースで固定されたカバーで覆われる。一般的に、これらの支持ベースやカバーはアルミニウムなどの金属材料の成形品で構成されている。  
【特許文献１】特開２００４−１８６９１４号公報
【発明の開示】
【発明が解決しようとする課題】
【０００３】
しかしながら、上記構成のように金属材料で構成される支持ベースやカバーを用いたＸ線検出装置は製造コストが高く、また、軽量化が困難である。
【０００４】
そこで、本発明は、製造コストを低減できるとともに軽量化が可能なＸ線検出装置およびＸ線装置を提供することを目的とする。
【課題を解決するための手段】
【０００５】
本発明の一例にかかるＸ線検出装置は、入力されたＸ線を光学像に変換して出力する放射線変換手段を有するイメージインテンシファイアと、このイメージインテンシファイアの出力側に支持ベースを介して取り付けられるとともに、光学レンズを介して入力された光学像を電子像に変換するＣＣＤ基板と、前記イメージインテンシファイアの外部から前記光学レンズ及び前記ＣＣＤ基板を覆うカバーと、を具備し、前記支持ベース及び前記カバーの少なくとも一方が樹脂材で形成されていることを特徴とする。
【０００６】
本発明の他の一形態にかかるＸ線検出装置は、上記に加え、前記樹脂材で形成された前記支持ベース又は前記カバーに、ＣＣＤ基板をシールドするための導電部が形成されていることを特徴とする。
【０００７】
本発明の他の一形態にかかるＸ線検出装置は、上記に加え、前記導電部は、前記樹脂材で形成された前記支持ベース又は前記カバーに、導電性を有する樹脂塗料が塗布されたものであることを特徴とする。
【０００８】
本発明の他の一形態にかかるＸ線検出装置は、上記に加え、前記導電部は、前記樹脂材で形成された前記支持ベース又は前記カバーに、導電性を有する接着テープが貼着されたものであることを特徴とする。
【０００９】
本発明の他の一形態にかかるＸ線装置は、上記のＸ線検出装置と、このＸ線検出器に入力されるＸ線を照射するＸ線照射装置とを備えたことを特徴とする。
【００１０】
本発明の他の一形態にかかるＸ線検出装置は、上記に加え、前記イメージインテンシファイアは導電性のハウジングを有し、前記支持ベースは樹脂材で形成されるとともに前記ハウジングに固定され、前記カバーは樹脂材で形成されるとともに、前記支持ベースに固定され、前記カバーの導電部は、前記カバーが前記ＣＣＤ基板を前記イメージインテンシファイアの外部から覆う部分から前記カバーが前記支持ベースと接触する部分に至って形成され、前記支持ベースの導電部は、前記支持ベースが前記カバーと接触する部分から前記支持ベースが前記外郭と接触する部分に至って形成されていることを特徴とする。
【発明の効果】
【００１１】
本発明のＸ線検出装置によれば、製造コストを低減できるとともに軽量化が可能となる。
【発明を実施するための最良の形態】
【００１２】
以下に本発明の第１の実施形態について、図１乃至図６を参照して説明する。  
図１は、本実施形態にかかるＸ線装置１を模式的に示している。Ｘ線装置１は診断や検査に用いられる医用画像診断装置であり、Ｘ線照射装置２、Ｘ線検出装置３、及びモニタ４等を備えている。Ｘ線５が、Ｘ線照射装置２の内部のＸ線管により曝射され、被検査体Ｍを介して透過され、Ｘ線検出装置３に入力される。
【００１３】
図２及び図３に示すように、Ｘ線検出装置３は、イメージインテンシファイア１１、光学レンズ部１２、ＣＣＤ基板１３等を備えている。イメージインテンシファイア１１は円柱状に構成され、Ｘ線像を光学像に変換する放射線変換手段を備える。光学レンズを備える円筒状の光学レンズ部１２は、イメージインテンシファイア１１の出力側に配され、光学像を集束させる機能を有する。この光学レンズ部１２の焦点位置に円板状のＣＣＤ基板１３が配設されている。このＣＣＤ基板１３上にＣＣＤのチップ（不図示）が搭載されている。ＣＣＤ基板１３は、支持部材１６やボルト１９を介して支持ベース１７に固定されている。ＣＣＤ基板１３は、映像電子信号を送るケーブル１４を介して図１に示すモニタ４に電気的に接続されている。光学レンズ部１２とＣＣＤ基板１３はカバー１５で覆われている。
【００１４】
図３に示すように、光学レンズ部１２はＣＣＤ基板１３に固定され、支持されている。ＣＣＤ基板１３は支持ベース１７に固定され、支持されている。支持ベース１７とイメージインテンシファイア１１はボルト１８の固着により接合されている。カバー１５は、開口縁の近傍で複数箇所（本実施形態では例えば３箇所）においてボルト２３により支持ベース１７に固定されている。
【００１５】
支持ベース１７は、樹脂（ＰＣ、ＡＢＳ等）で成型され、開口部を有する円形状を成している。支持ベース１７には、樹脂に金属粉が配合されてなる導電性樹脂塗料２１が塗布された導電部２０が形成されている。導電性樹脂塗料２１の金属粉の成分は、例えば銅90%以上、銀１％以下であり、導電率は約10-4Ω・cm程度である。導電性樹脂塗料２１は、イメージインテンシファイア１１と接触する面となる底面１７ａと、カバー１５と接触する周面１７ｂ、及びカバー１５で覆われる上面１７ｃ、開口部の内周面１７ｄに塗布される。すなわち、支持ベース１７において、導電部は、支持ベース１７がカバー１５と接触する部分から、支持ベース１７がイメージインテンシファイア１１と接触する部分に至って形成されて形成されている。
【００１６】
光学レンズ部１２とＣＣＤ基板１３を覆うカバー１５は、樹脂（ＰＣ、ＡＢＳ等）で形成され、円形の上壁部１５ａと円筒状の側壁部１５ｂとを一体に備えている。側壁部１５ｂの下端縁付近にはケーブルを引き出し可能なケーブル孔１５ｃが設けられている。このケーブル孔１５ｃの内周縁は、ケーブル１４と密着するようにケーブル１４の外形に沿って形成されている。カバー１５の内側面全体に、支持ベース１７と同様に樹脂に金属粉が配合されてなる導電性樹脂塗料２１が塗布された導電部２２が形成されている。すなわち、カバー１５の導電部２２は、カバー１５がＣＣＤ基板１３を外部から覆う部分から、カバー１５が支持ベース１７に接触する部分に至って形成されている。
【００１７】
イメージインテンシファイア１１、光学レンズ部１２、ＣＣＤ基板１３、支持ベース１７、及びカバー１５は同軸上に配置されている。支持ベース１７とイメージインテンシファイア１１との接合及び、支持ベース１７とカバー１５の固定にともなって、各部材の導電性樹脂塗料２１同士が圧接された状態となる。これにより、ＣＣＤ基板１３はカバー１５、支持ベース１７、及びイメージインテンシファイア１１外郭を構成する金属材製の筐体１１ａにより完全シールドされた状態となる。
【００１８】
次に本実施形態にかかるＸ線装置１の動作について説明する。Ｘ線検出装置３によれば、Ｘ線照射装置２から被検査体ＭにＸ線５が曝射されると、被検査体Ｍを透過したＸ線５がイメージインテンシファイア１１によって光学像に変換される。この光学像は光学レンズ部１２でフォーカスされてＣＣＤ基板１３に入力され、ＣＣＤ基板１３で電子像に変換され、画像入力され、ＴＶ映像信号に変換されてモニタ４に透視像として表示される。
【００１９】
ここで、ＣＣＤ基板１３からはクロック信号ノイズや電源ノイズ等の様々なノイズが発生する。本実施形態にかかるＸ線装置１では、ＣＣＤ基板１３から放射される放射電磁界ノイズ（30MHz〜300MHz）は、カバー１５の内面の導電部２２を介して支持ベース１７の導電部２０に伝わりイメージインテンシファイア１１の外郭を構成する筐体１１ａを介してＧＮＤに流れ込む。
【００２０】
本実施形態にかかるＸ線検出装置及びＸ線装置１は以下に掲げる効果を奏する。すなわち、カバー１５及び支持ベース１７を成形樹脂により構成することにより、金属材料に比べて製造コストを低減することができ、かつ、軽量化を実現できる。さらに、導電部２０及び導電部２２を設けたことにより、ＣＣＤ基板１３から発生したノイズをシールドしＧＮＤに落とすことが可能となる。したがって、ＥＭＣ特性に優れた安価なＸ線検出装置を提供することができる。また、導電性の材料として、樹脂に金属粉を混合した導電性樹脂材料を用いたことにより、金属材料に比べて、接合面の密着性を高くし、シールド性を向上することができる。さらに、本実施形態の方法によれば、映像信号ケーブルのＧＮＤラインからノイズを逃す方法に比べて放射ノイズに対して高い効果が得られるとともに、樹脂内面に薄い金属板を貼り付けてシールドする方法よりも、構造が単純で、製造コストを低く抑えることができる。
【００２１】
さらに、上記実施形態の図３における導電部２０や導電部２２は、例えば金属などの導電性材料から構成されたテープを、樹脂製の支持ベース１７及びカバー１５に貼り付けることにより構成することもできる。
【００２２】
また、支持ベース１７とカバー１５のいずれか一方のみを樹脂材料で構成し、他方は金属材料で構成することも可能である。
【００２３】
なお本発明を実施するにあたり、各部材の具体的な形状など、本発明の構成要素を発明の要旨を逸脱しない範囲で種々に変更して実施できることは言うまでもない。例えば、導電部２０や導電部２２の部位は上記実施形態に限られるものではなく、シールドが確保されればカバー１５の外面側等、他の部分であってもよい。この他、本発明の要旨を逸脱しない範囲で種々変形実施可能であるのは勿論である。
【図面の簡単な説明】
【００２４】
【図１】本発明の第１実施形態にかかるＸ線装置の構成を模式的に示す側面図。
【図２】同実施形態にかかるＸ線検出装置の構成を模式的に示す側面図。
【図３】同Ｘ線検出装置の一部の構成を示す断面図。
【図４】同Ｘ線検出装置の一部の構成を示す斜視図。
【図５】同Ｘ線検出装置の支持ベースの斜視図。
【図６】同Ｘ線検出装置のカバーの斜視図。
【符号の説明】
【００２５】
１…Ｘ線装置、２…Ｘ線照射装置、３…Ｘ線検出装置、１１…イメージインテンシファイア、１１ａ…筐体、１２…光学レンズ部、１３…ＣＣＤ基板、１４…ケーブル、１５…カバー、１７…支持ベース、２０…導電部、２０…カバー、２１…導電性樹脂塗料、
２２…導電部。
【図１】
2008220767.tif 000003
【図２】
2008220767.tif 000004
【図３】
2008220767.tif 000005
【図４】
2008220767.tif 000006
【図５】
2008220767.tif 000007
【図６】
2008220767.tif 000008